(57)【要約】      （修正有）【課題】積み木ブロック間の連結が緊密で、組み立て過程が容易な玩具組み立てパーツを提供する。【解決手段】パーツ本体１０、パーツ本体１０に設けられる少なくとも１つの第１連結部材２０及び／又は少なくとも１つの第２連結部材３０を備える。第１連結部材２０は、連結盤２１と、連結盤２１に設けられる連結柱２２とを備える。第２連結部材３０内には、第１連結部材２０の挿入のための収容溝４０が設けられ、収容溝４０は、連結盤２１を収容するための盤溝４１と、連結柱２２を収容するための柱溝４２を備える。連結柱２２には位置制限係止溝５１または位置制限係止突起が設けられ、相応するように、柱溝４２には位置制限係止突起または位置制限係止溝が設けられ、位置制限係止溝と位置制限係止突起とは互いにかみ合う。【選択図】図７
2017170107.tif 000002
【特許請求の範囲】
【請求項１】
玩具組み立てパーツであって、パーツ本体（１０）と、前記パーツ本体（１０）に設けられる少なくとも１つの第１連結部材（２０）及び／又は少なくとも１つの第２連結部材（３０）とを備え、
前記第１連結部材（２０）は、連結盤（２１）と、前記連結盤（２１）に設けられる連結柱（２２）とを備え、
前記第２連結部材（３０）内には、前記第１連結部材（２０）の挿入のための収容溝（４０）が設けられ、前記収容溝（４０）は、前記連結盤（２１）を収容するための盤溝（４１）と、前記連結柱（２２）を収容するための柱溝（４２）とを備え、
前記連結柱（２２）には、位置制限係止溝（５１）または位置制限係止突起（５２）が設けられ、相応するように、前記柱溝（４２）には、位置制限係止突起（５２）または位置制限係止溝（５１）が設けられており、前記位置制限係止溝（５１）と前記位置制限係止突起（５２）とは互いにかみ合うことを特徴とする、玩具組み立てパーツ。
【請求項２】
前記第２連結部材（３０）は、六方構造となるように設けられる底板（３４）、上板（３５）、左側板（３１）、右側板（３２）及び後側板（３３）を備え、前記底板（３４）、上板（３５）、左側板（３１）、右側板（３２）及び後側板（３３）の内壁は互いに合わさって前記盤溝（４１）の範囲を決定しており、前記上板（３５）には前記柱溝（４２）が設けられる請求項１に記載の玩具組み立てパーツ。
【請求項３】
前記上板（３５）は、上板左部（３５１）と、上板後部（３５３）と、上板右部（３５２）とを備え、前記上板左部（３５１）、上板後部（３５３）及び上板右部（３５２）の内側壁は前記柱溝（４２）の範囲を決定しており、前記上板左部（３５１）と前記上板右部（３５２）の内側壁には、対向する位置に１組の前記位置制限係止突起（５２）または位置制限係止溝（５１）が設けられており、前記連結柱（２２）には、少なくとも１組の反対方向に配置される前記位置制限係止溝（５１）または位置制限係止突起（５２）が設けられる、請求項２に記載の玩具組み立てパーツ。
【請求項４】
前記上板左部（３５１）と前記上板右部（３５２）にはそれぞれ１つの条状溝（３６）が設けられており、前記条状溝（３６）は、前記第１連結部材（２０）が前記収容溝（４０）に挿入する方向と平行であり、かつ前記位置制限係止突起（５２）または位置制限係止溝（５１）に近接する位置に設けられる、請求項３に記載の玩具組み立てパーツ。
【請求項５】
前記連結盤（２１）は正方形を呈し、前記連結柱（２２）には、４つの前記位置制限係止溝（５１）または位置制限係止突起（５２）が均等に分布され、各前記位置制限係止溝（５１）または位置制限係止突起（５２）は、前記連結盤（２１）の各辺の中点に対応して設けられる、請求項３に記載の玩具組み立てパーツ。
【請求項６】
前記上板左部（３５１）と前記上板右部（３５２）との前記位置制限係止突起（５２）または位置制限係止溝（５１）から前記後側板（３３）までの距離は、前記左側板（３１）または前記右側板（３２）の辺長の半分である、請求項３に記載の玩具組み立てパーツ。
【請求項７】
前記連結柱（２２）の前記連結盤（２１）に近接する一端には、第１面取り（２２１）が設けられており、前記上板左部（３５１）、上板後部（３５３）及び上板右部（３５２）の内側壁の縁部には、前記第１面取り（２２１）と適合する第２面取り（３５４）が設けられる、請求項３に記載の玩具組み立てパーツ。
【請求項８】
前記底板（３４）、上板（３５）、左側板（３１）及び右側板（３２）の内壁にはそれぞれ少なくとも１つの締め付けリブ（３７）が設けられており、前記締め付けリブ（３７）は、前記第１連結部材（２０）が前記収容溝（４０）に挿入する方向と平行である、請求項２に記載の玩具組み立てパーツ。
【請求項９】
前記締め付けリブ（３７）の前記後側板（３３）から離れる一端には角面取り（３７１）が設けられる、請求項８に記載の玩具組み立てパーツ。
【請求項１０】
前記連結盤（２１）の上面には方位標識が設けられる、請求項１に記載の玩具組み立てパーツ。
【発明の詳細な説明】
【技術分野】
【０００１】
本発明は、積み木玩具の分野に関し、特に玩具組み立てパーツに関する。
【背景技術】
【０００２】
現在、積み木玩具は、子供の想像力や創造力を引き出すための知育玩具として幅広く好まれている。既存の積み木玩具は主に、１つの積み木ブロックの突出した円柱と別の積み木ブロックの収容溝との係止結合によって、２つの積み木ブロックの連結が実現される。このような係止方式による連結が十分に緊密でないため、積み木ブロックは互いに抜け落ちやすく、ユーザーの体験と楽しみに影響を与える。一部の積み木玩具は、専用ボルトアセンブリにより２つの積み木ブロックが連結されて、積み木ブロック間の連結の緊密性が保証される。しかしながら、このような連結方式は積み木ブロック間の組み立て工程を複雑化し、組み立ての難しさを増加し、且つ組み立て及び／又は分解の過程において特定の分解工具が必要となり、ユーザーの体験と楽しみに影響を与える。
【発明の概要】
【発明が解決しようとする課題】
【０００３】
本発明が解決しようとする技術的問題は、既存の積み木玩具の積み木ブロック間の連結が十分に緊密でなくまたは組み立て過程が複雑である欠点に対して、玩具組み立てパーツを提供することである。
【課題を解決するための手段】
【０００４】
本発明が上記の問題を解決するために採用する技術的手段は下記の玩具組み立てパーツである。この玩具組み立てパーツは、パーツ本体と、前記パーツ本体に設けられる少なくとも１つの第１連結部材及び／又は少なくとも１つの第２連結部材とを備え、前記第１連結部材は、連結盤と、前記連結盤に設けられる連結柱とを備え、前記第２連結部材内には、前記第１連結部材の挿入のための収容溝が設けられ、前記収容溝は、前記連結盤を収容するための盤溝と、前記連結柱を収容するための柱溝を備え、前記連結柱には、位置制限係止溝または位置制限係止突起が設けられ、相応するように、前記柱溝には、位置制限係止突起または位置制限係止溝が設けられており、前記位置制限係止溝と前記位置制限係止突起とは互いにかみ合う。
【０００５】
好ましくは、前記連結本体は、六方構造となるように設けられる底板、上板、左側板、右側板及び後側板を備え、前記底板、上板、左側板、右側板及び後側板の内壁は互いに合わさって前記盤溝の範囲を決定しており、前記上板には前記柱溝が設けられる。
【０００６】
好ましくは、前記上板は、上板左部と、上板後部と、上板右部とを備え、前記上板左部、上板後部及び上板右部の内側壁は前記柱溝の範囲を決定しており、前記上板左部と前記上板右部の内側壁には、対向する位置に１組の前記位置制限係止突起または位置制限係止溝が設けられており、前記連結柱には、少なくとも１組の反対方向に配置される前記位置制限係止溝または位置制限係止突起が設けられる。
【０００７】
好ましくは、前記上板左部と前記上板右部にはそれぞれ１つの条状溝が設けられており、前記条状溝は、前記第１連結部材が前記収容溝に挿入する方向と平行であり、かつ前記位置制限係止突起または位置制限係止溝に近接する位置に設けられる。
【０００８】
好ましくは、前記連結柱には、４つの前記位置制限係止溝または位置制限係止突起が均等に分布され、各前記位置制限係止溝または位置制限係止突起は、前記連結盤の各辺の中点に対応して設けられる。
【０００９】
好ましくは、前記上板左部と前記上板右部との前記位置制限係止突起または位置制限係止溝から前記後側板までの距離は、前記左側板または前記右側板の辺長の半分である。
【００１０】
好ましくは、前記連結柱の前記連結盤に近接する一端には、第１面取りが設けられており、前記上板左部、上板後部及び上板右部の内側壁の縁部には、前記第１面取りと適合する第２面取りが設けられる。
【００１１】
好ましくは、前記底板、上板、左側板及び右側板の内壁にはそれぞれ少なくとも１つの締め付けリブが設けられており、前記締め付けリブは、前記第１連結部材が前記収容溝に挿入する方向と平行である。
【００１２】
好ましくは、前記締め付けリブの前記後側板から離れる一端には角面取りが設けられる。        
【００１３】
好ましくは、前記連結盤の上面には方位標識が設けられる。
【発明の効果】
【００１４】
本発明は従来技術よりも下記の点で優れている。本発明による玩具組み立てパーツには、第１連結部材と第２連結部材とが設けられ、２つの玩具組み立てパーツの組み立てのとき、１つの玩具組み立てパーツの第１連結部材は、他の玩具組み立てパーツの第２連結部材の収容溝内に挿入される。組み立て過程が簡単で便利であり、特定の組み立て工具の使用の必要がない。第１連結部材の連結柱には位置制限係止溝または位置制限係止突起が設けられ、第２連結部材の柱溝には対応する位置制限係止突起または位置制限係止溝が設けられる。位置制限係止溝と位置制限係止突起とは互いにかみ合って、第１連結部材と第２連結部材との緊密結合を実現することにより、２つの玩具組み立てパーツの連結の緊密性を保証し、玩具組み立て過程において２つの玩具組み立てパーツが互いに抜け落ちることを回避する。
【図面の簡単な説明】
【００１５】
以下、添付図面及び実施例を参照しながら、本発明に対して更に説明する。
【図１】本発明の実施例１の玩具組み立てパーツの正面図である。
【図２】本発明の実施例２の玩具組み立てパーツの斜視図である。
【図３】図２に示されている玩具組み立てパーツの正面図である。
【図４】図２に示されている玩具組み立てパーツの底面図である。
【図５】図４のＣ−Ｃ線の断面図である。
【図６】本発明の実施例３の玩具組み立てパーツの斜視図である。
【図７】図６に示されている玩具組み立てパーツの正面図である。
【発明を実施するための形態】
【００１６】
本発明の技術的特徴、目的及び効果をさらに明瞭に理解するために、添付の図面を参照しながら本発明の具体的な実施形態を説明する。
【００１７】
本発明による組み立てパーツは、パーツ本体１０と、パーツ本体１０に設けられる少なくとも１つの第１連結部材２０及び／又は少なくとも１つの第２連結部材３０とを備える。図１には実施例１の玩具組み立てパーツが示されている。該玩具組み立てパーツは、パーツ本体１０と、パーツ本体１０に設けられる第１連結部材２０とを備える。図２〜図５には実施例２の玩具組み立てパーツが示されている。該玩具組み立てパーツは、パーツ本体１０と、パーツ本体１０に設けられる第２連結部材３０とを備える。図６と図７には実施例３の玩具組み立てパーツが示されている。該玩具組み立てパーツは、パーツ本体１０と、パーツ本体１０に設けられる第１連結部材２０及び第２連結部材３０とを備える。１つの玩具組み立てパーツの第１連結部材２０と他の玩具組み立てパーツの第２連結部材３０とは互いに組み合うことで、２つの玩具組み立てパーツの緊密結合を実現し、玩具組み立て過程を完了することができる。該玩具組み立てパーツは硬質プラスチックを用いて射出成形されるものである。
【００１８】
なお、実施例１〜３のパーツ本体１０の形状は、正方形、長方形、Ｌ字形及びＵ字形を含むが、これらに限定されず、積み木玩具の設計要件に応じて設計されてもよい。例えば、Ｕ字形を採用するパーツ本体１０に応じて、他の玩具組み立てパーツを用いて一緒に人型ロボットの肩部や、肘部などの関節部材を組み立てることができる。また、パーツ本体１０での第１連結部材２０及び／又は第２連結部材３０の位置も設計要件に応じて決定されてもよい。
【００１９】
図１、図６及び図７に示されるように、第１連結部材２０は、連結盤２１と、連結盤２１に設けられる連結柱２２とを備え、連結柱２２はパーツ本体１０に設けられる。なお、連結盤２１は様々な形状を採用してもよいが、正方形の設計を採用することが好ましい。円形の設計よりも、正方形のほうが方位の識別を容易にする。また、長方形または他の形状の設計と比べて、正方形の各辺の長さが一致するため、正方形は４つの方向に同じ構造を有することによって、第１連結部材２０と組み合わせる方向に制限されない。連結柱２２は円柱または四角柱であってもよい。実施例１及び３において、連結盤２１と連結柱２２とは同軸であり、かつＴ字形になるように配置される。
【００２０】
図６に示されるように、連結盤２１に上面には幾つかの方位標識が設けられ、複数の玩具組み立てパーツを特定の方向に従って組み立てする必要があるとき、該方位標識に基づいて方向を確定し得る。実施例３において、連結盤２１には、それぞれ連結盤２１の４つの方向を表す△、□、☆、○などの符号が設けられる。Ｅ、Ｗ、Ｎ、Ｓなどの文字により連結盤２１の４つの方向を表してもよい。
【００２１】
図２〜図７に示されるように、第２連結部材３０には、第１連結部材２０の挿入のための収容溝４０が設けられる。具体的には、第２連結部材３０は、六方構造となるように配置される左側板３１、右側板３２、後側板３３、底板３４及び上板３５を備える。積み木玩具の設計要件に応じて、第２連結部材３０の左側板３１、右側板３２、後側板３３、底板３４または上部はパーツ本体１０に設けられてもよいことを理解すべきである。左側板３１、右側板３２、後側板３３、底板３４及び上板３５は互いに合わさって、第１連結部材２０の挿入のための収容溝４０の範囲を決定する。なお、第２連結部材３０の後側板３３と対向する面には収容溝４０の開口が設けられる。実施例２及び３において、底板３４と上板３５とが正方形となるように設けられることは、複数の玩具組み立てパーツを組み立てするときに、各辺の長さの不一致により玩具の組み立てに影響を与えることを回避し、ユーザーの体験の向上に役立つ。さらに、４つのコーナーの縁部の湾曲設計は、第２連結部材３０の形状をスムーズかつ美しくする。
【００２２】
具体的には、収容溝４０は、連結盤２１を収容するための盤溝４１と、連結柱２２を収容するための柱溝４２とを備え、かつ逆のＴ字形となるように設けられる。連結の緊密性を保証するために、盤溝４１のサイズと連結盤２１のサイズとが互いに適合され、柱溝４２のサイズと柱溝４２のサイズとが互いに適合される。底板３４、上板３５、左側板３１、右側板３２及び後側板３３の内壁は互いに合わさって、連結盤２１を収容するための盤溝４１の範囲を決定する。上板３５には柱溝４２が設けられる。さらに、上板３５は、一体に成形された上板左部３５１、上板後部３５３及び上板右部３５２を備え、上板左部３５１、上板後部３５３及び上板右部３５２の内側壁は、連結柱２２を収容するための柱溝４２の範囲を決定する。実施例２及び３において、上板左部３５１と上板右部３５２との間の距離は、円柱状の連結柱２２の直径と一致して、柱溝４２と連結柱２２とは結合がさらに緊密で、抜け落ちにくい。
【００２３】
２つの玩具組み立てパーツの組み立てのとき、１つの玩具組み立てパーツの第１連結部材２０は、他の玩具組み立てパーツの第２連結部材３０の収容溝４０内に挿入される。組み立て過程が簡単で便利であり、特定の組み立て工具の使用の必要がない。２つの玩具組み立てパーツの連結の緊密性を保証するために、第１連結部材２０と第２連結部材３０には係止アセンブリが設けられる。該係止アセンブリは、位置制限係止溝５１と位置制限係止突起５２とを備え、位置制限係止溝５１と位置制限係止突起５２はそれぞれ第１連結部材２０と第２連結部材３０に設けられる。位置制限係止溝５１と位置制限係止突起５２とは互いにかみ合って、第１連結部材２０と第２連結部材３０との緊密結合を保証し、玩具組み立て過程において２つの玩具組み立てパーツが互いに抜け落ちることを回避する。
【００２４】
なお、２つの玩具組み立てパーツの組み立てるときは、１つの玩具組み立てパーツの第１連結部材２０と他の玩具組み立てパーツの第２連結部材３０とに対して、向かい合う２つの方向の力を与えることで、位置制限係止溝５１と位置制限係止突起５２とをかみ合わせればよい。２つの玩具組み立てパーツを分解するときは、１つの玩具組み立てパーツの第１連結部材２０と他の玩具組み立てパーツの第２連結部材３０とに対して、相反する２つの方向の力を与えることで、位置制限係止突起５２を位置制限係止溝５１から離脱させればよい。組み立てと分解過程が簡単であり、特定の工具の使用の必要がない。
【００２５】
実施例１〜３において、第１連結部材２０の連結柱２２には位置制限係止溝５１が設けられ、相応するように、第２連結部材３０の柱溝４２には、位置制限係止溝５１とかみ合う位置制限係止突起５２が設けられる。具体的には、第１連結部材２０の連結柱２２には、少なくとも１組の反対方向に配置される位置制限係止溝５１が設けられ、第２連結部材３０の上板左部３５１と上板右部３５２の内側壁との対向する位置には、１組の位置制限係止突起５２が設けられる。第１連結部材２０が第２連結部材３０の収容溝４０に挿入するとき、第２連結部材３０の上板左部３５１と上板右部３５２とに対向するように設けられた位置制限係止突起５２は、第１連結部材２０の連結柱２２の位置制限係止溝５１に挿入されて、第１連結部材２０と第２連結部材３０の緊密結合を実現し、抜け落ちを回避する。
【００２６】
さらに、第１連結部材２０の連結柱２２には、４つの位置制限係止溝５１が均等に分布され、各位置制限係止溝５１は、正方形の連結盤２１の各辺の中点に対応して設けられる。反対方向の２つの位置制限係止溝５１は円柱状の連結柱２２の同一直径上に位置する。上板左部３５１と上板右部３５２との位置制限係止突起５２から後側板３３までの距離は、左側板３１または左側板３１の辺長の半分であり、これにより第１連結部材２０は第２連結部材３０に挿入するときに第２連結部材３０の中央に位置し、他の玩具組み立てパーツとの結合を容易にする。
【００２７】
なお、第１連結部材２０の連結柱２２には位置制限係止突起５２が設けられてもよく、相応するように、第２連結部材３０の柱溝４２には、位置制限係止突起５２とかみ合う位置制限係止溝５１（図示せず）が設けられる。具体的には、第１連結部材２０の連結柱２２には、少なくとも１組の反対方向に配置される位置制限係止突起５２が設けられ、第２連結部材３０の上板左部３５１と上板右部３５２の内側壁との対向する位置には、１組の位置制限係止溝５１が設けられる。第１連結部材２０が第２連結部材３０の収容溝４０に挿入するとき、第１連結部材２０の連結部材における位置制限係止突起５２は、第２連結部材３０の上板左部３５１と上板右部３５２とに対向するように設けられた位置制限係止溝５１に挿入されて、第１連結部材２０と第２連結部材３０の緊密結合を実現し、抜け落ちを回避する。
【００２８】
さらに、第１連結部材２０の連結柱２２には、４つの位置制限係止突起５２が均等に分布され、各位置制限係止突起５２は、正方形の連結盤２１の各辺の中点に対応して設けられる。反対方向の２つの位置制限係止突起５２は、円柱状の連結柱２２の同一直径上に位置する。上板左部３５１と上板右部３５２との位置制限係止溝５１から後側板３３までの距離は、左側板３１または左側板３１の辺長の半分であり、これにより第１連結部材２０は第２連結部材３０に挿入するときに第２連結部材３０の中央に位置し、他の玩具組み立てパーツとの結合を容易にする。
【００２９】
図２、図４に示されるように、上板左部３５１と上板右部３５２にはそれぞれ１つの条状溝３６が設けられる。条状溝３６は、第１連結部材２０が収容溝４０に挿入する方向と平行であり、かつ位置制限係止突起５２または位置制限係止溝５１に近接する位置に設けられる。これにより、条状溝３６と位置制限係止突起５２または位置制限係止溝５１との間には変形薄壁３６１が形成される。第１連結部材２０と第２連結部材３０の組み立てまたは分解のとき、変形薄壁３６１間にある程度の変形が生じて、位置制限係止突起５２が位置制限係止溝５１に挿入するかまたは位置制限係止突起５２が位置制限係止溝５１から分離される。
【００３０】
図３〜図５に示されるように、底板３４、上板３５、左側板３１及び右側板３２の内壁にはそれぞれ少なくとも１つの締め付けリブ３７が設けられる。かつ、締め付けリブ３７は、第１連結部材２０が収容溝４０に挿入する方向と平行になることによって、連結盤２１と収容溝４０との連結の緊密性を保証し、組み立て過程において玩具組み立てパーツが抜け落ちてユーザーの体験に影響を与えることを回避する。実施例２と３において、底板３４には間隔をあけて２つの締め付けリブ３７が設けられる一方、上板左部３５１、上板右部３５２、左側板３１、右側板３２及び後側板３３の内壁にはそれぞれ１つの締め付けリブ３７が設けられる。上板左部３５１と上板右部３５２との締め付けリブ３７は変形薄壁３６１の内側に位置する。なお、第２連結部材３０の高さに対する需要を満たすために、需要に応じた底板３４の２つの締め付けリブ３７の高さで設置してもよい。
【００３１】
第１連結部材２０と第２連結部材３０との連結の緊密性を保証するために、底板３４の締め付けリブ３７から上板３５の締め付けリブ３７までの距離は、第１連結部材２０の連結盤２１の厚さと一致し、左側板３１の締め付けリブ３７と右側板３２の締め付けリブ３７との間の距離は、正方形の連結盤２１の辺長と一致する。締め付けリブ３７と連結盤２１との線状接触により、盤溝４１と連結盤２１は結合がさらに緊密で、抜け落ちにくくなる。
【００３２】
図３〜図５に示されるように、締め付けリブ３７の後側板３３から離れる一端には角面取り３７１が設けられる。即ち、締め付けリブ３７の収容溝４０の開口に近接する一端には角面取り３７１が設けられて、第１連結部材２０が収容溝４０に挿入することを容易にする。また、上板左部３５１と上板右部３５２との柱溝４２の開口に近接する位置には丸面取り３５５が設けられて、連結柱２２が柱溝４２に挿入することを容易にする。
【００３３】
図１と図７に示されるように、連結柱２２の連結盤２１に近接する一端には第１面取り２２１が設けられる。相応するように、上板左部３５１、上板後部３５３及び上板右部３５２の内側壁の縁部には、第１面取り２２１と適合する第２面取り３５４が設けられる（図３と図５に示すように）。第１面取り２２１と第２面取り３５４とが適合することにより、第１連結部材２０と第２連結部材３０との結合の緊密性を強化する。
【００３４】
上記の具体的な実施例を参照して本発明について詳述したが、本発明の範囲を逸脱することなく、本発明に修正または同等置換することが可能であることは、当業者であれば理解できることである。さらに、特定の場合又は具体的な状況に対して、本発明の範囲を逸脱することなく、本発明に様々な修正を行うことができる。従って、本発明は開示された具体的な実施例に限定されなく、本発明の特許請求の範囲内であるすべての実施形態を含むべきである。    
【符号の説明】
【００３５】
１０  パーツ本体
２０  第１連結部材
２１  連結盤
２２  連結柱
２２１ 第１面取り
３０  第２連結部材
３１  左側板
３２  右側板
３３  後側板
３４  底板
３５  上板
３５１ 上板左部
３５２ 上板右部
３５３ 上板後部
３５４   第２面取り
３５５ 丸面取り
３６  条状溝
３６１ 変形薄壁
３７  締め付けリブ
３７１ 角面取り
４０  収容溝
４１  盤溝
４２  柱溝
５１  位置制限係止溝
５２  位置制限係止突起
【図１】
2017170107.tif 000003
【図２】
2017170107.tif 000004
【図３】
2017170107.tif 000005
【図４】
2017170107.tif 000006
【図５】
2017170107.tif 000007
【図６】
2017170107.tif 000008
【図７】
2017170107.tif 000009
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
玩具組み立てパーツであって、パーツ本体（１０）と、前記パーツ本体（１０）に設けられる少なくとも１つの第１連結部材（２０）及び／又は少なくとも１つの第２連結部材（３０）とを備え、
前記第１連結部材（２０）は、連結盤（２１）と、前記連結盤（２１）に設けられる連結柱（２２）とを備え、
前記第２連結部材（３０）は、六方構造であり、前記第２連結部材（３０）内には、前記第１連結部材（２０）の挿入のための収容溝（４０）が設けられ、
前記収容溝（４０）は、前記連結盤（２１）を収容するための盤溝（４１）と、前記第２連結部材（３０）の一つの面に設けられる前記連結柱（２２）を収容するための柱溝（４２）とを備え、
前記柱溝（４２）が設けられる前記第２連結部材（３０）の前記一つの面に隣接する他の面には前記収容溝（４０）の開口が設けられ、
前記連結柱（２２）には、位置制限係止溝（５１）または位置制限係止突起（５２）が設けられ、相応するように、前記柱溝（４２）には、位置制限係止突起（５２）または位置制限係止溝（５１）が設けられており、前記位置制限係止溝（５１）と前記位置制限係止突起（５２）とは互いにかみ合うことを特徴とする、玩具組み立てパーツ。
【請求項２】
前記第２連結部材（３０）は、六方構造となるように設けられる底板（３４）、上板（３５）、左側板（３１）、右側板（３２）及び後側板（３３）を備え、前記底板（３４）、上板（３５）、左側板（３１）、右側板（３２）及び後側板（３３）の内壁は互いに合わさって前記盤溝（４１）の範囲を決定しており、前記上板（３５）には前記柱溝（４２）が設けられる請求項１に記載の玩具組み立てパーツ。
【請求項３】
前記上板（３５）は、上板左部（３５１）と、上板後部（３５３）と、上板右部（３５２）とを備え、前記上板左部（３５１）、上板後部（３５３）及び上板右部（３５２）の内側壁は前記柱溝（４２）の範囲を決定しており、前記上板左部（３５１）と前記上板右部（３５２）の内側壁には、対向する位置に１組の前記位置制限係止突起（５２）または位置制限係止溝（５１）が設けられており、前記連結柱（２２）には、少なくとも１組の反対方向に配置される前記位置制限係止溝（５１）または位置制限係止突起（５２）が設けられる、請求項２に記載の玩具組み立てパーツ。
【請求項４】
前記上板左部（３５１）と前記上板右部（３５２）にはそれぞれ１つの条状溝（３６）が設けられており、前記条状溝（３６）は、前記第１連結部材（２０）が前記収容溝（４０）に挿入する方向と平行であり、かつ前記位置制限係止突起（５２）または位置制限係止溝（５１）に近接する位置に設けられる、請求項３に記載の玩具組み立てパーツ。
【請求項５】
前記連結盤（２１）は正方形を呈し、前記連結柱（２２）には、４つの前記位置制限係止溝（５１）または位置制限係止突起（５２）が均等に分布され、各前記位置制限係止溝（５１）または位置制限係止突起（５２）は、前記連結盤（２１）の各辺の中点に対応して設けられる、請求項３に記載の玩具組み立てパーツ。
【請求項６】
前記上板左部（３５１）と前記上板右部（３５２）との前記位置制限係止突起（５２）または位置制限係止溝（５１）から前記後側板（３３）までの距離は、前記左側板（３１）または前記右側板（３２）の辺長の半分である、請求項３に記載の玩具組み立てパーツ。
【請求項７】
前記連結柱（２２）の前記連結盤（２１）に近接する一端には、第１面取り（２２１）が設けられており、前記上板左部（３５１）、上板後部（３５３）及び上板右部（３５２）の内側壁の縁部には、前記第１面取り（２２１）と適合する第２面取り（３５４）が設けられる、請求項３に記載の玩具組み立てパーツ。
【請求項８】
前記底板（３４）、上板（３５）、左側板（３１）及び右側板（３２）の内壁にはそれぞれ少なくとも１つの締め付けリブ（３７）が設けられており、前記締め付けリブ（３７）は、前記第１連結部材（２０）が前記収容溝（４０）に挿入する方向と平行である、請求項２に記載の玩具組み立てパーツ。
【請求項９】
前記締め付けリブ（３７）の前記後側板（３３）から離れる一端には角面取り（３７１）が設けられる、請求項８に記載の玩具組み立てパーツ。
【請求項１０】
前記連結盤（２１）の上面には方位標識が設けられる、請求項１に記載の玩具組み立てパーツ。